(57)【要約】【課題】本発明の解決しようとする課題は、空気の自然対流にのみ依存することなく、積極的に薬剤の揮散を促進することが可能な芳香剤容器を提案するものである。【解決手段】平面視円形の容器本体１０と、容器本体に螺合するカバー２０と、カバーに嵌合して水平な回転軸３５を中心として回転可能な平面視円形の蓋体３０とを有し、蓋体には蓋体に垂直な回転軸４３を中心として回転可能な羽根車４０を備えたことを特徴とする芳香剤容器である。【選択図】図１
2020081130.tif 000002
【特許請求の範囲】
【請求項１】
平面視円形の容器本体と、容器本体に螺合するカバーと、カバーに嵌合して水平な回転軸を中心として回転可能な平面視円形の蓋体とを有し、蓋体には蓋体に垂直な回転軸を中心として回転可能な羽根車を備えたことを特徴とする芳香剤容器。
【請求項２】
前記蓋体は、いずれも円盤状の表面板と裏面板と、これらを連結する相対する２枚の連結板を有し、それぞれの連結板の中心に蓋体の回転軸を備え、表面板と裏面板のそれぞれ中心に羽根車の回転軸受けを備えたことを特徴とする請求項１に記載の芳香剤容器。
【請求項３】
前記羽根車は、中心に回転軸を有し、回転軸から放射状に配置された複数の羽根板と、これらの複数の羽根板を連結する１枚の底面板を有することを特徴とする請求項１または２に記載の芳香剤容器。
【発明の詳細な説明】
【技術分野】
【０００１】
本発明は、芳香剤や消臭剤など揮発性の薬剤を収納する容器に関し、特に薬剤の揮散量を広範囲に亘って調節可能な芳香剤容器に関する。
【背景技術】
【０００２】
居室内や自動車内に置いて使用する芳香剤や消臭剤は、揮散性の薬剤を窓孔のある容器に収納し、窓の面積を変えることによって揮散量の調節を行っていた。あるいは、容器中の薬液を含浸させた芯材を出し入れ可能に設置して、芯材が空気に接触する面積を変化させることで、揮散量の調節を行う方法も知られている。
【０００３】
特許文献１に記載された揮散性薬剤の収容装置は、収容装置を反転させることで薬剤の揮散量が大きく変化する機構を備えた収容装置である。
【０００４】
これら従来の方法は、いずれも空間内の空気の自然対流を利用して薬剤の拡散を図るものであるため、調節範囲には自ずから限界があった。
【先行技術文献】
【特許文献】
【０００５】
【特許文献１】特開平８−１９６６１２号公報
【発明の概要】
【発明が解決しようとする課題】
【０００６】
本発明の解決しようとする課題は、空気の自然対流にのみ依存することなく、積極的に薬剤の揮散を促進することが可能な芳香剤容器を提案するものである。
【課題を解決するための手段】
【０００７】
上記の課題を解決するための手段として、請求項１に記載の発明は、平面視円形の容器本体と、容器本体に螺合するカバーと、カバーに嵌合して水平な回転軸を中心として回転可能な平面視円形の蓋体とを有し、蓋体には蓋体に垂直な回転軸を中心として回転可能な羽根車を備えたことを特徴とする芳香剤容器である。
【０００８】
本発明に係る芳香剤容器は、蓋体に回転可能な羽根車を備えたので、この羽根車を回転することにより芳香剤成分を急速に拡散させることができる。
【０００９】
また、請求項２に記載の発明は、前記蓋体が、いずれも円盤状の表面板と裏面板と、これらを連結する相対する２枚の連結板を有し、それぞれの連結板の中心に蓋体の回転軸を備え、表面板と裏面板のそれぞれ中心に羽根車の回転軸受けを備えたことを特徴とする請求項１に記載の芳香剤容器である。
【００１０】
また、請求項３に記載の発明は、前記羽根車が、中心に回転軸を有し、回転軸から放射状に配置された複数の羽根板と、これらの複数の羽根板を連結する１枚の底面板を有することを特徴とする請求項１または２に記載の芳香剤容器である。
【発明の効果】
【００１１】
本発明に係る芳香剤容器は、蓋体が水平な回転軸を中心として回転するので、開口面積をほぼゼロから１００％まで任意に設定することが可能である。またさらに蓋体に羽根車を回転可能に備えたことで、この羽根車を回転させることにより、芳香剤成分を急速に拡
散せしめることができる。
【００１２】
請求項２に記載の発明によれば、蓋体が、いずれも円盤状の表面板と裏面板と、これらを連結する相対する２枚の連結板を有し、それぞれの連結板の中心に蓋体の回転軸を備え、表面板と裏面板のそれぞれ中心に羽根車の回転軸受けを備えたことにより、すべての回転軸受けが片持ちでなく両受けの構造となり、蓋体の回転も羽根車の回転もいずれも円滑になる。
【００１３】
請求項３に記載の発明によれば、羽根車が、中心に回転軸を有し、回転軸から放射状に配置された複数の羽根板と、これらの複数の羽根板を連結する１枚の底面板を有するので、構造的に強固であると共に、射出成形法による作成が容易となる。
【図面の簡単な説明】
【００１４】
【図１】図１（ａ）は、本発明に係る芳香剤容器の平面模式図であり、図１（ｂ）は正面模式図である。
【図２】図２は、図１に示した芳香剤容器の斜視図である。
【図３】図３は、図２の状態から、蓋体を約４５°回転させた状態を示した斜視説明図である。
【図４】図４は、本発明に係る芳香剤容器の蓋体を９０°回転させた状態を示した正面模式図である。
【図５】図５は、図４の状態の斜視説明図であり、羽根車を回転させる様子を示したものである。
【図６】図６は、本発明に係る芳香剤容器を構成する各部品の組み立てを示した斜視説明図である。
【発明を実施するための形態】
【００１５】
以下図面を参照しながら、本発明に係る芳香剤容器について詳細に説明する。図１（ａ）は、本発明に係る芳香剤容器の平面模式図であり、図１（ｂ）は正面模式図である。図２は、図１に示した芳香剤容器の斜視図である。図６は、本発明に係る芳香剤容器を構成する各部品の組み立てを示した斜視説明図である。
【００１６】
本発明に係る芳香剤容器は、平面視円形の容器本体１０と、容器本体１０に螺合するカバー２０と、カバー２０に嵌合して水平な回転軸を中心として回転可能な平面視円形の蓋体３０とを有し、蓋体３０には蓋体に垂直な回転軸を中心として回転可能な羽根車４０を備えたことを特徴とする芳香剤容器である。
【００１７】
図１に示した状態では、蓋体３０は表面板３１が水平な状態であり、容器本体１０の開口部は閉じられている。蓋体３０は、カバー２０に設けられた蓋体回転軸受け２２ａ、２２ｂを中心として回転することができる。図３は、図２の状態から蓋体３０を約４５°回転させた状態を示した斜視説明図である。また図４、図５は、さらに蓋体３０を回転させて、水平位置から９０°回転させた状態を示している。この状態は、蓋体３０が全開の状態である。このように、蓋体３０を０〜９０°まで回転させることにより、全閉の状態から全開の状態まで任意の開口率を選択することができる。
【００１８】
図３、図５に示したように、蓋体３０には、蓋体に垂直な回転軸を中心として回転可能
な羽根車４０を備えたことを特徴とする。羽根車４０は、図６に示したように、羽根車回転軸４３ａ、４３ｂを蓋体３０の表面板３１と裏面板３２のそれぞれ中心に設けた羽根車回転軸受け３４ａ、３４ｂに嵌合させることにより、蓋体３０に回転可能に保持される。そこで、図５に示したように、蓋体３０を回転させて開口させた後に、羽根車４０を回転させることにより、薬剤の揮散を急速に行うことができる。
【００１９】
図６に示した例では、蓋体３０は、円盤状の表面板３１と裏面板３２と、これらを連結する相対する２枚の連結板３３ａ、３３ｂを有する。それぞれの連結板の中心には、蓋体回転軸３５ａ、３５ｂを備えている。表面板３１と裏面板３２のそれぞれ中心には、羽根車回転軸受け３４ａ、３４ｂを備えている。
羽根車４０は、蓋体３０の側面に差し込んで回転軸４３ａ、４３ｂをそれぞれ蓋体３０の羽根車回転軸受け３４ａ、３４ｂに嵌め込むことができる。
【００２０】
このように、この例ではすべての軸受けが片持ちではなく、両受け構造であるため、蓋体３０の回転も、羽根車４０の回転も円滑にできる。但し必ずしも両受け構造とする必要はなく、片持ちでも円滑な回転が得られれば良い。
【００２１】
蓋体３０は、平面視円形であり、蓋体回転軸３５ａ、３５ｂを中心として回転するため、全体が一つの球に内接するような立体形状となる。従って連結板３３ａ、３３ｂもそれぞれ球面に近似した形状をしている。
【００２２】
図６に示したように、この例では羽根車４０は、中心に回転軸４３ａ、４３ｂを有し、回転軸から放射状に配置された複数の羽根板４１と、これらの複数の羽根板４１を連結する１枚の底面板４２を有する。底面板４２が存在することで、１枚１枚の羽根板４１がばらばらにならず、全体の強度が向上する。底面板４２の対向側に天面板を設けても良いが、その場合には射出成形に当たって非常に複雑な構造の金型が必要となり、あまり現実的でない。
【００２３】
図６において、容器本体１０の上部には、雄ねじ部１１が設けられており、カバー２０の下部に設けられた雌ねじ部２１に螺合するようになっている。ねじ部は、雄雌逆でも良いし、図のような全ねじでなく部分ねじでも良い。
【００２４】
本発明に係る芳香剤容器１に用いる材料としては、特に制約は無く、収納する内容物によって腐食されない材質であれば良い。一般的にはポリエチレン樹脂、ポリプロピレン樹脂、ポリエチレンテレフタレート樹脂、スチレン樹脂、ＡＳ樹脂、ＡＢＳ樹脂等を用いることができる。
【符号の説明】
【００２５】
１・・・芳香剤容器
１０・・・容器本体
１１・・・雄ねじ部
２０・・・カバー
２１・・・雌ねじ部
２２ａ、２２ｂ・・・蓋体回転軸受け
３０・・・蓋体
３１・・・表面板
３２・・・裏面板
３３ａ、３３ｂ・・・連結板
３４ａ、３４ｂ・・・羽根車回転軸受け
３５ａ、３５ｂ・・・蓋体回転軸
４０・・・羽根車
４１・・・羽根板
４２・・・底面板
４３ａ、４３ｂ・・・羽根車回転軸
【図１】
2020081130.tif 000003
【図２】
2020081130.tif 000004
【図３】
2020081130.tif 000005
【図４】
2020081130.tif 000006
【図５】
2020081130.tif 000007
【図６】
2020081130.tif 000008